(57)【要約】【課題】  本発明は、ポストテンション方式ＰＣ構造物にグラウトを注入する際、グラウトの先流れによって生じる空気溜まりを除去し、グラウトが完全に充填されたＰＣ構造物を確実・容易に構成するグラウト注入工法を提供する。【解決手段】  空気溜まり発生のおそれがある区間に１又は複数本のグラウトホースを分岐・立設するとともに、前記グラウトホースに２つの開閉弁を持つ密閉容器を接続し、かつ密閉容器に接続した真空ポンプによってあらかじめ密閉容器内を減圧し、その後圧送ポンプを運転してグラウトをケーブルシース内に注入し、注入されたグラウトが先流れを起こし前記ケーブルシース内に空気を閉じ込めた状況になった時点で、前記密閉容器のグラウトホースが接続された開閉弁を開いて空気溜まりの空気、滲出ブリージング水を吸引・除去しながら、グラウトの注入を継続する。【選択図】  図６
2006144491.tif 000002
【特許請求の範囲】
【請求項１】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２にグラウトホース５を１本分岐・立設するとともに、前記グラウトホース５に真空ポンプ４を接続しておき、前記圧送ポンプ３を運転してグラウトを注入し、注入されたグラウトが先流れを起こして前記ケーブルシース２内に空気を閉じ込めた状況になった時点で前記真空ポンプ４を運転し、先流れによってケーブルシース２内に閉じ込められた空気を吸引・除去し、さらに圧送ポンプ３によるグラウト圧入を継続することにより、ケーブルシース２内にグラウトを完全に充填できるようにしてなることを特徴とするＰＣ構造物におけるケーブルシース内へのグラウト注入工法。
【請求項２】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２に複数本のグラウトホース５を分岐・立設するとともに、前記複数のグラウトホース５を１本の集合管６に接続し、さらに前記集合管６に真空ポンプ４を接続しておき、前記圧送ポンプ３を運転してグラウトを注入し、注入されたグラウトが先流れを起こして前記ケーブルシース２内に空気を閉じ込めた状況になった時点で前記真空ポンプ４を運転し、先流れによってケーブルシース２内に閉じ込められた空気を吸引・除去し、さらに圧送ポンプ３によるグラウト圧入を継続することにより、ケーブルシース２内にグラウトを完全に充填できるようにしてなることを特徴とするＰＣ構造物におけるケーブルシース内へのグラウト注入工法。
【請求項３】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２にグラウトホース５を１本分岐・立設するとともに、前記グラウトホース５を第１と第２の２つの開閉弁Ｖ１、Ｖ２を有する密閉容器７の第１の開閉弁ＶＩに接続し、また、前記密閉容器７の第２の開閉弁Ｖ２に真空ポンプ４を接続し、前記第１の開閉弁Ｖ１を閉じ第２の開閉弁Ｖ２を開いた状態で真空ポンプ４を運転して密閉容器７内を減圧した後、前記第２の開閉弁Ｖ２を閉じ、次いで前記圧送ポンプ３を運転してケーブルシース２内にグラウトを圧入し、注入されたグラウトが先流れを起こし前記ケーブルシース２内に空気を閉じ込めた状況になった時点で前記第１の開閉弁Ｖ１を開き、先流れによってケーブルシース２内に閉じ込められた空気を減圧された密閉容器７内に吸引して、ケーブルシース２内にグラウトを完全に充填できるようにしてなることを特徴とするＰＣ構造物におけるケーブルシース内へのグラウト注入工法。
【請求項４】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２に複数本のグラウトホース５を分岐・立設するとともに、前記複数のグラウトホース５を１本の集合管６に接続し、さらに前記集合管６を第１と第２の２つの開閉弁Ｖ１、Ｖ２を有する密閉容器７の第１の開閉弁Ｖ１に接続し、また、前記密閉容器７の第２の開閉弁Ｖ２に真空ポンプ４を接続し、前記第１の開閉弁Ｖ１を閉じ第２の開閉弁Ｖ２を開いた状態で真空ポンプ３を運転して密閉容器７内を減圧した後、前記第２の開閉弁Ｖ２を閉じ、次いで前記圧送ポンプ３を運転してグラウトをケーブルシース２内に圧入し、注入されたグラウトが先流れを起こし前記ケーブルシース２内に空気を閉じ込めた状況になった時点で前記第１の開閉弁Ｖ１を開き、先流れによってケーブルシース２内に閉じ込められた空気を前記減圧された密閉容器７に吸引し、ケーブルシース２内にグラウトを完全に充填できるようにしてなることを特徴とするＰＣ構造物におけるケーブルシース内へのグラウト注入工法。
【請求項５】
密閉容器７が、その内部を減圧したとき大気圧に耐えられる強度・形状・構造を有する透明素材で作られ、かつ内壁面に剥離剤が塗布されるか、あるいは内壁面がテフロン加工、シリコン樹脂加工等の撥水処理が施されてグラウトの洗浄除去を容易にしてなることを特徴とする請求項３又は４に記載のＰＣ構造物におけるケーブルシース内へのグラウト注入工法。
【請求項６】
密閉容器７の容積が、グラウトの粘性、吐出量、ケーブルシース及びホースの内径、ホースの長さ、ケーブルシース下降部の傾斜角度、空隙率等による先流れ度合、及びその結果としてのケーブルシース下降部に発生する空気溜まりの大きさ、さらに前記空気溜まりに加わる最終グラウト圧とから算定される値に十分な余裕を見込んで設定されたものであることを特徴とする請求項３〜５のいずれか１項に記載のＰＣ構造物におけるケーブルシース内へのグラウト注入工法。
【請求項７】
密閉容器７の第１の開閉弁Ｖ１とグラウトホース５又は集合管６との接続、及び密閉容器７の第２の開閉弁Ｖ２と真空ポンプ４との接続が、螺着等の気密接続手段により着脱自在になされることを特徴とする請求項３〜６のいずれか１項に記載のＰＣ構造物におけるケーブルシース内へのグラウト注入工法。
【請求項８】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部でグラウトの先流れによってケーブルシース２内に生じた空気溜まりにグラウトから分離して滲出したブリージング水を空気溜まりに残留した空気とともに吸引・除去することを特徴とする請求項１〜７のいずれか１項に記載のＰＣ構造物におけるケーブルシース内へのグラウト注入工法。
【請求項９】
ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部でグラウトの先流れによってケーブルシース２内に生じた空気溜まりに、グラウト攪拌時にグラウト内に混入した微小気泡が滲出して発生する空気をも吸引・除去することを特徴とする請求項１〜８のいずれか１項に記載のＰＣ構造物におけるケーブルシース内へのグラウト注入工法。
【発明の詳細な説明】
【技術分野】
【０００１】
本発明は、ポストテンション方式ＰＣ構造物、特に外ケーブル等ＰＣケーブルの一部がコンクリート構造体外に配設されてなるＰＣ構造物のシース内へのグラウト注入工法において、グラウト注入の際にケーブルシースの下降部で生じるグラウトの先流れによって発生する空気溜まりを除去し、ケーブルシース内にグラウトの不充填箇所のないＰＣケーブルを確実・容易に提供できるグラウト注入工法に関する。
【背景技術】
【０００２】
橋梁、高架橋、建築物等のＰＣ構造物、特にポストテンション方式ＰＣ構造物においては、ＰＣ鋼材を緊張・定着した後にケーブルシース又はダクトの内壁とＰＣ鋼材との間にセメントと水と混和剤との混合物であるグラウトが注入・充填されるが、このグラウトの注入・充填を効果的に行うためには、流動性がよく、かつ注入から硬化するまでの間にそれぞれの材料が分離しないという性質を持つグラウトが望ましい。しかし、セメントと水とに間に存在する比重差が、ケーブルシース又はダクト内でグラウトが硬化する間にセメントを下側に沈降分離させ、その上側に残った水分（ブリージング水）が蒸発することによって空隙部（空気溜まり）が生じる場合があり、この空隙部に長年月間に外部水が侵入するとＰＣ鋼材を腐食させ、断線させるおそれがある。
【０００３】
そこで流動性がよく、ブリージングの少ないグラウト材が開発されてはいるが、これらグラウト材も作業現場でその都度セメントと水と混和剤を混合し、ミキサで混練して製造されており、また、グラウトの注入・充填が圧送ポンプによる圧入で行われることから、グラウト混練時と圧入時に空気が巻き込まれたり、注入圧によってブリージングが生じたりするという問題がある。そこでケーブルシース又はダクトのグラウト排出側に真空ポンプを接続して稼働し、ケーブルシース又はダクト内の空気を吸引して空気溜まりの発生を抑制するとともにグラウト注入側に接続した圧送ポンプの圧入効果を高めようとする発明も行われている。
【０００４】
ケーブルシース内へのグラウト注入時に、ケーブルシース内に空気溜まりが発生しやすい要因としてケーブルシースの下降部でグラウトの先流れがある。つまり、図７の空気溜まり生成の説明図の（ａ）に示すように、グラウトＧがケーブルシース２内を下から上へ向かって流入する際には、グラウトＧはケーブルシース２内に充満して進行するため空隙（空気溜まりＢ）が生じることはないが、ケーブルシースの下降部ではグラウトＧは図７（ｂ）に示すようにケーブルシース２の内壁下側に沿って流下して行き、図７（ｃ）に示すようにケーブルが下げ止まった所のケーブルシース２の管内全面を満たすことになるので、下降部のケーブルシース２の内壁上側に空気が閉じ込められ、その後グラウトＧは閉じ込められた空気を圧縮しながら図７（ｄ）に示すように上方へ蓄積されていき、ケーブルシース２の下降部の高所付近に空気溜まりＢを発生させることになる。
【０００５】
このグラウトＧの先流れによって生じる空気溜まりＢの防止策としては、通常、ケーブルシース２の下降部の高所付近手前に排気用グラウトホース９ａ、９ｂ（図８参照）を配設し、この排気用グラウトホース９ａ、９ｂから、ケーブルシース２内に取り残された空気をグラウトＧがケーブルシース２内に蓄積・上昇するに従って順次排出させる方法が採られている。この排気用のグラウトホース９ａ、９ｂによる残留空気の排気は、有効な手段ではあるが、グラウトホース９ａ、９ｂの取付位置、取付本数、内径、高さ等によって空気溜まりＢが消失するか、残留するかが決まる不安定さがある。
また、ケーブルシース２内に大きな空気溜まりＢの発生が予測される場合は、残された空気溜まりＢの空間にグラウトＧを再注入するためのグラウトホース１０を排気用のグラウトホース９ａ、９ｂに併せて配設して対応する（図９参照）。
【特許文献１】特許第３５８４０２４号公報
【特許文献２】特開２００４−１００２７４号公報
【特許文献３】特開２０００−６４６１８号公報
【発明の開示】
【発明が解決しようとする課題】
【０００６】
ケーブルシースのグラウト排出側に真空ポンプを接続し、前記ケーブルシース内を減圧しつつケーブルシースのグラウト注入側に接続した圧送ポンプによってグラウトを注入する真空引き工程を含むグラウト注入工法は、ケーブルシース内の空気が希薄になることから、発生する空気溜まりも極めて小さなものとなりその効果は高い。
しかし、外ケーブル等ＰＣケーブルの一部がコンクリート構造体外に配設されてなるＰＣ構造物の場合にはＰＣケーブルが外気に曝されているため、真空ポンプによってケーブルシース内を減圧すると、外気圧によってケーブルシースが押しつぶされ、グラウトを注入できない事態となるおそれがあるので、このような場合には真空引き工程を含むグラウト注入工法は使用できない。
そこで、本発明は、ポストテンション方式ＰＣ構造物、特に外ケーブル等ＰＣケーブルの一部がコンクリート構造体外に配設されてなるＰＣ構造物において、ケーブルシースの下降部でグラウトの先流れによって生じる空気溜まりに残留した空気や空気溜まりに滲出するブリージング水を吸引・除去し、グラウトが完全に注入・充填されたＰＣケーブルを確実・容易に構成できるグラウト注入工法を提供することを課題としている。
【課題を解決するための手段】
【０００７】
本発明者等は、上記課題を下記の手段によって解決した。
（１）ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２にグラウトホース５を１本分岐・立設するとともに、前記グラウトホース５に真空ポンプ４を接続しておき、前記圧送ポンプ３を運転してグラウトを注入し、注入されたグラウトが先流れを起こして前記ケーブルシース２内に空気を閉じ込めた状況になった時点で前記真空ポンプ４を運転し、先流れによってケーブルシース２内に閉じ込められた空気を吸引・除去し、さらに圧送ポンプ３によるグラウト圧入を継続することにより、ケーブルシース２内にグラウトを完全に充填できるようにしてなることを特徴とするＰＣ構造物におけるケーブルシース内へのグラウト注入工法。
【０００８】
（２）ポストテンション方式ＰＣ構造物１のケーブルシース２内に圧送ポンプ３によってグラウトを圧入・充填するケーブルシース２内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２に複数本のグラウトホース５を分岐・立設するとともに、前記複数のグラウトホース５を１本の集合管６に接続し、さらに前記集合管６に真空ポンプ４を接続しておき、前記圧送ポンプ３を運転してグラウトを注入し、注入されたグラウトが先流れを起こして前記ケーブルシース２内に空気を閉じ込めた状況になった時点で前記真空ポンプ４を運転し、先流れによってケーブルシース２内に閉じ込められた空気を吸引・除去し、さらに圧送ポンプ３によるグラウト圧入を継続することにより、ケーブルシース２内にグラウトを完全に充填できるようにしてなることを特徴とするＰＣ構造物におけるケーブルシース内へのグラウト注入工法。
【０００９】
（３）ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２にグラウトホース５を１本分岐・立設するとともに、前記グラウトホース５を第１と第２の２つの開閉弁Ｖ１、Ｖ２を有する密閉容器７の第１の開閉弁ＶＩに接続し、また、前記密閉容器７の第２の開閉弁Ｖ２に真空ポンプ４を接続し、前記第１の開閉弁Ｖ１を閉じ第２の開閉弁Ｖ２を開いた状態で真空ポンプ４を運転して密閉容器７内を減圧した後、前記第２の開閉弁Ｖ２を閉じ、次いで前記圧送ポンプ３を運転してケーブルシース２内にグラウトを圧入し、注入されたグラウトが先流れを起こし前記ケーブルシース２内に空気を閉じ込めた状況になった時点で前記第１の開閉弁Ｖ１を開き、先流れによってケーブルシース２内に閉じ込められた空気を減圧された密閉容器７内に吸引して、ケーブルシース２内にグラウトを完全に充填できるようにしてなることを特徴とするＰＣ構造物におけるケーブルシース内へのグラウト注入工法。
【００１０】
（４）ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部で生じるグラウトの先流れによって、前記ケーブルシース２内に空気が閉じ込められて空気溜まりが発生するおそれのある区間のケーブルシース２に複数本のグラウトホース５を分岐・立設するとともに、前記複数のグラウトホース５を１本の集合管６に接続し、さらに前記集合管６を第１と第２の２つの開閉弁Ｖ１、Ｖ２を有する密閉容器７の第１の開閉弁Ｖ１に接続し、また、前記密閉容器７の第２の開閉弁Ｖ２に真空ポンプ４を接続し、前記第１の開閉弁Ｖ１を閉じ第２の開閉弁Ｖ２を開いた状態で真空ポンプ３を運転して密閉容器７内を減圧した後、前記第２の開閉弁Ｖ２を閉じ、次いで前記圧送ポンプ３を運転してグラウトをケーブルシース２内に圧入し、注入されたグラウトが先流れを起こし前記ケーブルシース２内に空気を閉じ込めた状況になった時点で前記第１の開閉弁Ｖ１を開き、先流れによってケーブルシース２内に閉じ込められた空気を前記減圧された密閉容器７に吸引し、ケーブルシース２内にグラウトを完全に充填できるようにしてなることを特徴とするＰＣ構造物におけるケーブルシース内へのグラウト注入工法。
【００１１】
（５）密閉容器７が、その内部を減圧したとき大気圧に耐えられる強度・形状・構造を有する透明素材で作られ、かつ内壁面に剥離剤が塗布されるか、あるいは内壁面がテフロン加工、シリコン樹脂加工等の撥水処理が施されてグラウトの洗浄除去を容易にしてなることを特徴とする前項（３）又は（４）に記載のＰＣ構造物におけるケーブルシース内へのグラウト注入工法。
（６）密閉容器の容積が、グラウトの粘性、吐出量、ケーブルシース及びホースの内径、ホースの長さ、ケーブルシース下降部の傾斜角度、空隙率等による先流れ度合、及びその結果としてのケーブルシース下降部に発生する空気溜まりの大きさ、さらに前記空気溜まりに加わる最終グラウト圧とから算定される値に十分な余裕を見込んで設定されたものであることを特徴とする前項（３）〜（５）のいずれか１項に記載のＰＣ構造物におけるケーブルシース内へのグラウト注入工法。
【００１２】
（７）密閉容器７の第１の開閉弁Ｖ１とグラウトホース５又は集合管６との接続、及び密閉容器７の第２の開閉弁Ｖ２と真空ポンプ４との接続が、螺着等の気密接続手段により着脱自在になされることを特徴とする前項（３）〜（６）のいずれか１項に記載のＰＣ構造物におけるケーブルシース内へのグラウト注入工法。
【００１３】
（８）ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部でグラウトの先流れによってケーブルシース２内に生じた空気溜まりにグラウトから分離して滲出したブリージング水を空気溜まりに残留した空気とともに吸引・除去することを特徴とする前項（１）〜（７）のいずれか１項に記載のＰＣ構造物におけるケーブルシース内へのグラウト注入工法。
【００１４】
（９）ポストテンション方式ＰＣ構造物１のケーブルシース２内に圧送ポンプ３によってグラウトを圧入・充填するケーブルシース内へのグラウト注入工法において、
グラウト圧入の際、ケーブルシース２の下降部でグラウトの先流れによってケーブルシース２内に生じた空気溜まりに、グラウト攪拌時にグラウト内に混入した微小気泡が滲出して発生する空気をも吸引・除去することを特徴とする前項（１）〜（８）のいずれか１項に記載のＰＣ構造物におけるケーブルシース内へのグラウト注入工法。
【発明の効果】
【００１５】
（ア）請求項１の発明によれば、
グラウトの先流れによって空気溜まりが発生するおそれのある区間のケーブルシースにグラウトホースを１本分岐・立設するとともに、前記グラウトホースに真空ポンプを接続しておき、前記圧送ポンプを運転してグラウトを注入し、注入されたグラウトが先流れを起こして前記ケーブルシース内に空気を閉じ込めた状況になった時点で前記真空ポンプを運転し、先流れによってケーブルシース内に閉じ込められた空気を吸引・除去しするので、ケーブルシース内にグラウトが完全に充填されたＰＣ構造物が提供できる。
【００１６】
（イ）請求項２の発明によれば、
グラウトの先流れによって空気溜まりが発生するおそれのある区間のケーブルシースに複数本のグラウトホースを分岐・立設するとともに、前記複数のグラウトホースを１本の集合管に接続し、さらに前記集合管に真空ポンプを接続しておき、前記圧送ポンプを運転してグラウトを注入し、注入されたグラウトが先流れを起こして前記ケーブルシース内に空気を閉じ込めた状況になった時点で前記真空ポンプを運転し、先流れによってケーブルシース内に閉じ込められた空気を吸引・除去するので、空気溜まりの発生場所があらかじめ特定できない場合でも、ケーブルシースに分岐・立設した複数のグラウトホースのいずれか１本又は２本以上が、前記空気溜まり発生場所に適応し、ケーブルシース内にグラウトが完全に充填されたＰＣ構造物を提供することができる。
【００１７】
（ウ）請求項３の発明によれば、
グラウトの先流れによって空気溜まりが発生するおそれのある区間のケーブルシースにグラウトホースを１本分岐・立設するとともに、前記グラウトホース５を第１と第２の２つの開閉弁を有する密閉容器の第１の開閉弁に接続し、また、前記密閉容器の第２の開閉弁に真空ポンプを接続し、前記第１の開閉弁を閉じ第２の開閉弁を開いた状態で真空ポンプを運転して密閉容器内を減圧した後、前記第２の開閉弁を閉じ、前記圧送ポンプを運転してケーブルシース内にグラウトを圧入し、注入されたグラウトが先流れを起こし前記ケーブルシース２内に空気を閉じ込めた状況になった時点で前記第１の開閉弁を開くだけで、先流れによってケーブルシース内に閉じ込められた空気を減圧された密閉容器内に吸引でき、容易な操作でケーブルシース内にグラウトが完全に充填されたＰＣ構造物を提供できる。
【００１８】
（エ）請求項４の発明によれば、
グラウトの先流れによって空気溜まりが発生するおそれのある区間のケーブルシースに複数本のグラウトホースを分岐・立設するとともに、前記複数のグラウトホースを１本の集合管に接続し、さらに前記集合管を第１と第２の２つの開閉弁を有する密閉容器の第１の開閉弁に接続し、また、前記密閉容器の第２の開閉弁に真空ポンプを接続し、前記第１の開閉弁を閉じ第２の開閉弁を開いた状態で真空ポンプを運転して密閉容器内を減圧した後、前記第２の開閉弁を閉じ、前記圧送ポンプを運転してグラウトをケーブルシース内に圧入し、注入されたグラウトが先流れを起こし前記ケーブルシース２内に空気を閉じ込めた状況になった時点で前記第１の開閉弁を開くだけで先流れによってケーブルシース内に閉じ込められた空気を前記減圧された密閉容器に吸引でき、空気溜まりの発生場所があらかじめ特定できない場合でも、ケーブルシースに分岐・立設した複数のグラウトホースのいずれか１本又は２本以上が、前記空気溜まり発生場所に適応し、また、第１の開閉弁を開くという容易な操作でケーブルシース内にグラウトが完全に充填されたＰＣ構造物を提供することができる。
【００１９】
（オ）請求項５の発明によれば、
密閉容器が、その内部を減圧したとき大気圧に耐えられる強度・形状・構造を有する透明素材で作られているので密閉容器内に吸引されたグラウトが目視でき、ケーブルシース内へグラウトが完全に注入されたことが確認でき、真空ポンプの停止のタイミングが的確に捉えられる。
また密閉容器の内壁面に剥離剤が塗布されるか、あるいは内壁面がテフロン加工、シリコン樹脂加工等の撥水処理が施されているので、密閉容器内に吸引されたグラウトの洗浄・除去が容易であり、密閉容器を繰り返し使用することできる。
（カ）請求項６の発明によれば、
密閉容器の容積が、グラウトの粘性、吐出量、ケーブルシース及びホースの内径、ホースの長さ、ケーブルシース下降部の傾斜角度、空隙率等による先流れ度合、及びその結果としてのケーブルシース下降部に発生する空気溜まりの大きさ、さらに前記空気溜まりに加わる最終グラウト圧とから算定される値に十分な余裕を見込んで設定されているので、容器内を所定の圧力まで減じておけば、密閉容器の第１の開閉弁を開くことのみによってケーブルシース内に完全にグラウトが充填されたＰＣ構造物を提供できる。
【００２０】
（キ）請求項７の発明によれば、
密閉容器の第１の開閉弁とグラウトホース又は集合管との接続、及び密閉容器の第２の開閉弁と真空ポンプとの接続が、螺着等の気密接続手段により着脱自在になされるので、あらかじめ減圧した密閉容器を作業弁場に持ち込みグラウトホースに接続すれば、真空ポンプを作業現場に配設することなく、空気溜まりに取り残された空気、及びブリージング水を吸引・除去し、ケーブルシース内にグラウトが完全に充填されたＰＣ構造物を提供できる。
【００２１】
（ク）請求項８の発明によれば、
ポストテンション方式ＰＣ構造物のケーブルシース内に圧送ポンプによってグラウトを圧入・充填する際、ケーブルシースの下降部でグラウトの先流れによって生じた空気溜まりにグラウトから分離して滲出したブリージング水を空気溜まりに残留した空気とともに吸引・除去するので、ケーブルシース内により完全にグラウトが充填されたＰＣ構造物が提供できる。
【００２２】
（ケ）請求項９の発明によれば、
ポストテンション方式ＰＣ構造物のケーブルシース内に圧送ポンプによってグラウトを圧入・充填する際、ケーブルシースの下降部でグラウトの先流れによって生じた空気溜まりに、グラウト攪拌時にグラウト内に混入した微小気泡が滲出して発生する空気をも吸引・除去するので、ケーブルシース内により完全にグラウトが充填されたＰＣ構造物が提供できる。
【発明を実施するための最良の形態】
【００２３】
本発明の実施の形態を実施例の図によって説明する。
図１は本願請求項１の発明の実施例の構成図、図２は図１の実施例のグラウト注入工程の説明図、図３は本願請求項２の発明の実施例の構成図、図４は本願請求項３の発明の実施例の構成図、図５は図４の実施例のグラウト注入工程の説明図、図６は本願請求項４の発明の実施例の構成図である。
図において１はＰＣ構造物、１’はコンクリート構造体、２はケーブルシース、３は圧送ポンプ、４は真空ポンプ、５はグラウトホース、６は集合管、７は密閉容器、８、８’は排出グラウトの貯蔵容器、Ｖ１は第１の開閉弁、Ｖ２は第２の開閉弁、Ｂは空気溜まり、Ｇはグラウトを示す。
【実施例１】
【００２４】
図１に示す本願発明の第１の実施例は、ポストテンション方式ＰＣ構造物１のケーブルシース２内に圧送ポンプ３によってグラウトＧを圧入・充填するケーブルシース内へのグラウト注入工法において、
圧送ポンプ３によってケーブルシース２内にグラウトＧを圧入する際、ケーブルシース２の下降部で生じるグラウトの先流れによって、前記ケーブルシース２内に空気が閉じ込められて空気溜まりＢが発生するおそれのある区間のケーブルシース２にグラウトホース５を１本分岐・立設するとともに、前記グラウトホース５に真空ポンプ４を接続しておき、図２（ａ）に示すように真空ポンプ４を停止した状態で前記圧送ポンプ３を運転してグラウトＧをケーブルシース２内に注入し、注入されたグラウトＧが先流れを起こして前記ケーブルシース２に空気が閉じ込められ空気溜まりＢが生じた時点で図２（ｂ）に示すように前記真空ポンプ４を運転し、前記空気溜まりＢに閉じ込められた空気、及びこの空気溜まりＢに滲出したブリージング水を吸引・除去しながら、圧送ポンプ３によるグラウト圧入を継続して、図２（c）に示すようなケーブルシース２内にグラウトＧが完全に充填されたＰＣケーブルを完成させる。
なお、空気溜まりＢに閉じ込められた空気を排出した後に真空ポンプ４によって吸引されるグラウトＧは、排出グラウトの貯蔵容器８’に貯蔵され真空ポンプ４には影響を与えない。
なお、排出グラウトの貯蔵容器８’は、使用後グラウトを洗浄・除去して再使用できるよう内壁面に剥離剤が塗布されるか、あるいは内壁面がテフロン加工、シリコン樹脂加工等の撥水処理が施されていることが好ましい。
【実施例２】
【００２５】
図３に示す本願発明の第２の実施例は、実施例１に示した構成でのグラウト注入工法において、
ケーブルシース２下降部に生じる空気溜まりＢの発生箇所があらかじめ特定できない場合に、空気溜まりＢの発生が予測される位置に複数のグラウトホース５（図３では３本）を分岐・立設し、前記複数のグラウトホース５を１本の集中管６に接続して対応しようとするものである。
ケーブルシース２内に空気溜まりＢが発生する位置は、グラウトの粘性、ケーブルシース２の長さや内径、勾配、ケーブルシースに挿通されるＰＣ鋼材の外径や形状、圧送ポンプの能力などさまざまな要因によって左右されるので、長いケーブルシース２では空気溜まりＢの発生場所をあらかじめ予測するのは難しく、本実施例のように空気溜まりの発生が予測される区間に複数のグラウトホース５を配設しておくことは好ましい。
【実施例３】
【００２６】
図４に示す本願発明の第３の実施例は、ポストテンション方式ＰＣ構造物１のケーブルシース２内に圧送ポンプ３によってグラウトを圧入・充填するケーブルシース内へのグラウト注入工法において、
圧送ポンプ３によってケーブルシース２にグラウトＧを圧入する際、ケーブルシース２の下降部で生じるグラウトの先流れによって、前記ケーブルシース２内に空気が閉じ込められて空気溜まりＢが発生するおそれのある区間のケーブルシース２にグラウトホース５を１本分岐・立設するとともに、前記グラウトホース５を第１と第２の２つの開閉弁Ｖ１、Ｖ２を有する密閉容器７の第１の開閉弁Ｖ１に接続し、また、前記密閉容器の第２の開閉弁Ｖ２に真空ポンプ４を接続し、
まず図５（ａ）に示すように前記密閉容器７の第１の開閉弁Ｖ１を閉じ第２の開閉弁Ｖ２を開いた状態で真空ポンプ４を運転して密閉容器７内を所定の圧力まで減圧した後、前記第２の開閉弁Ｖ２を閉じ、次いで図５（ｂ）に示すように前記圧送ポンプ３を運転してケーブルシース２内にグラウトを圧入し、注入されたグラウトが先流れを起こし前記ケーブルシース２内に空気を閉じ込めた状況になった時点で図５（ｃ）に示すように前記密閉容器７の第１の開閉弁Ｖ１を開き、空気溜まりＢに閉じ込められた空気、及びこの空気溜まりに滲出したブリージング水を、減圧された密閉容器７内に吸引して、ケーブルシース２内にグラウトが完全に充填されたＰＣケーブルを完成させる。
【実施例４】
【００２７】
図６に示す本願発明の第４の実施例は、実施例３に示した構成でのグラウト注入工法において、
ケーブルシース２下降部に生じる空気溜まりＢの発生箇所があらかじめ特定できない場合に、空気溜まりＢの発生が予測される位置に複数のグラウトホース５（図６では３本）を分岐・立設し、前記複数のグラウトホース５を１本の集中管６に接続して対応しようとするものである。
ケーブルシース２内に空気溜まりＢが発生する位置は、グラウトの粘性、ケーブルシース２の長さや内径、勾配、ケーブルシースに挿通されるＰＣ鋼材の外径や形状、圧送ポンプの能力などさまざまな要因によって左右されるので、長いケーブルシース２では空気溜まりＢの発生場所をあらかじめ予測するのは難しく、本実施例のように空気溜まりの発生が予測される区間に複数のグラウトホース５を配設しておくことは好ましい。
【００２８】
上記実施例３及び４で使用する密閉容器７は、その内部が真空ポンプ４によって減圧されたとき大気圧に耐えられる強度・形状・構造を有する透明素材で作られ、かつ内壁面に剥離剤が塗布されるか、あるいは内壁面がテフロン加工、シリコン樹脂加工等の撥水処理が施されて、吸引によって侵入するグラウトの洗浄・除去を容易にしておくことが好ましく、また、密閉容器７の容積も、グラウトの粘性、吐出量、ケーブルシース及びホースの内径、ホースの長さ、ケーブルシース下降部の傾斜角度、空隙率等による先流れ度合、及びその結果としてのケーブルシース下降部に発生する空気溜まりの大きさ、さらに前記空気溜まりに加わる最終グラウト圧とから算定される値に十分な余裕を見込んで設定されることが好ましい。
さらに、前記密閉容器７とグラウトホース５又は集合管６との接続、及び密閉容器７と真空ポンプ４との接続を、螺着など気密が保護される機構で着脱自在になされるよう構成しておけば、あらかじめ減圧された密閉容器７を作業弁場に持ち込んでグラウトホース５に接続すれば、真空ポンプ４を作業現場に持ち込まないで済むというメリットも生まれる。
さらにまた、前記集合管６には複数のグラウトホース５の挿着部を設けておき、該挿着部の数が挿着するグラウトホース５の数を上回る場合には、グラウトホース５の挿着されない挿着部に気密を保持するための栓体を螺着などの気密保持手段を挿着して使用するように構成しておくことが望ましい。
【産業上の利用可能性】
【００２９】
本発明は、ＰＣケーブルが外気に曝される外ケーブルのみならず、グラウト注入を圧入ポンプのみで行うすべてのポストテンション方式のＰＣ構造物のケーブルシース内へのグラウト注入に適用できる。
【図面の簡単な説明】
【００３０】
【図１】本願請求項１の発明の実施例構成図
【図２】図１の実施例のグラウト注入工程の説明図
【図３】本願請求項２の発明の実施例構成図
【図４】本願請求項３の発明の実施例構成図
【図５】図４の実施例のグラウト注入工程の説明図
【図６】本願請求項４の発明の実施例構成図
【図７】空気溜まり生成の説明図
【図８】空気溜まりの残留空気排気構造の説明図
【図９】空気溜まりの残留空気の排気と空気溜まりへのグラウト注入構造の説明図
【符号の説明】
【００３１】
１：ＰＣ構造物
１’：コンクリート構造体
２：ケーブルシース
３：圧送ポンプ
４：真空ポンプ
５：グラウトホース
６：集合管
７：密閉容器
８、８’：排出グラウトの貯蔵容器
９ａ、９ｂ：排気用グラウトホース
１０：再注入用グラウトホース
Ｂ：空気溜まり
Ｇ：グラウト
Ｖ１：第１の開閉弁
Ｖ２：第２の開閉弁
【図１】
2006144491.tif 000003
【図２】
2006144491.tif 000004
【図３】
2006144491.tif 000005
【図４】
2006144491.tif 000006
【図５】
2006144491.tif 000007
【図６】
2006144491.tif 000008
【図７】
2006144491.tif 000009
【図８】
2006144491.tif 000010
【図９】
2006144491.tif 000011